(57)【要約】【課題】あいうえおの順番で「あ」から「わ」迄の４４種類の頭文字で始まる創作短歌で構成された新タイプのかるたの開発【解決手段】文頭と同様に文末の文字も前記４４種類の文字を順不同に且つ短歌の意味に沿うように配置することで従来のかるたの遊び方に加えてしりとりによる遊び方が出来るようにしたかるたの創作【選択図】図１
2016140737.tif 000002
【特許請求の範囲】
【請求項１】
文頭と末尾の文字に同じ文字が重複しないように「あ」から「わ」迄の４４種類の文字をそれぞれ用いて、４４種の短歌を作成し、前記短歌を上の句と下の句にわけることにより、合計８８枚の文字札を以って構成されたかるた。
【発明の詳細な説明】
【技術分野】
【０００１】本発明はカルタを構成する文の構造に関するものである。
【背景技術】
【０００２】従来あるいろはかるた等は文頭に順番を定められた特定の文字が配置されているが、末尾の文字については文中の意味にあったものを選んで当てはめる以外、とくに制約はなかった。
【発明が解決しようとする課題】
【０００３】本発明は従来のかるたに加え、まったく新しい要素を付加する点にある。
【課題を解決しようとするための手段】
【０００４】かるたの札と札が、しりとりで繋がるように文頭にあいうえおの「あ」から「わ」迄の４４種類の文字を順番を定めて当て、末尾には前期４４種類の文字を文頭の文字と同じ文字が重ならないようにして順不同に配置させた形の短歌を創作する。
【発明の効果】
【０００５】今創作した短歌を例にして説明すると、文頭が「あ」から始まる短歌を詠むと、末尾が「こ」で終わっているので、次に「こ」から始まる短歌を詠むと「な」で終わる。このようにして繋がった形で読み進めて行くと、最後に末尾が「あ」で  終わり最初に繋がる。というように今までのかるたのプレイの仕方の他に、しりとり遊びのようにして次の札を取ることが出来るし、短歌を上の句の札と下の句の札に分けてあるので、下の句を読んで末尾の文字と同じ文字が文頭にある上の句の札を取る遊び方も出来る。その上読み手がいないで二人だけの場合でも上の句を重ねて伏せて置いて、一枚一枚めくりながら上の句につづく下の句を取る方法や、下の句を重ねて伏せて置いて同様にめくりながら、末尾の文字と同じ上の句の文字の札をとることも出来る。
また字札に加えて新たに４４種類のそれぞれの短歌の意味を表した絵札を作る事により、伏せておいた絵札をめくるごとにばらばらに配された上の句と下の句の両方を取る。或いは読み手の人が居れば上下の句を通しての一回の読み上げで、下の句の末尾の文字と文頭が同じ字札と絵札の両方をとるとか、慣れてくると全部の札を伏せて置いて先ずは最初の一枚の札を表にしたら、しりとりの方法で以下の札を探し当てて取る遊び方も出来る。
【図面の簡単な説明】
【０００６】
【図１】短歌の文頭が１の「あ」から始まって末尾が１０の「こ」で終わり、次に文頭が１０の「こ」から始まり２１の「な」で終わるというふうに、しりとりの順番を示すもので最後は４２の「れ」始まる短歌で末尾の文字が１の「あ」で終わり、最初に戻ることになる。
【発明の実施例】
【０００７】  １あ    あの月を取ってくれろと無邪気にも                〔上〕
しきりにせがむ背中の吾が子                    〔下〕        １０
２い    いたずらに飲食過多や心根を                      〔上〕
荒ぶることは胃の腑が明かぬ                    〔下〕        ２３
３う    宇宙から地球を見ればはるかなる                  〔上〕
夢うるわしき瑠璃色の球                        〔下〕        ３１
４え    縁ありて此の地に移り住みたるも                  〔上〕
あな懐かしきふるさとの地よ                    〔下〕        ３８
５お    おいそれと年は取りたくないものと                〔上〕
思えば響く鐘の音音                            〔下〕        ２０
６か    感謝して祈る姿に魅せられて                      〔上〕
近づき行けば背にオーラ見ゆ                    〔下〕        ３７
７き    近視にとなる原因の第一は                        〔上〕
砂糖の摂取過剰にあるぞ                        〔下〕        １５
８く    口癖を直した筈が意に反し                        〔上〕
口滑らせりあにはからずも                      〔下〕        ３５
９け    下痢のとき葛湯をつくり梅干を                    〔上〕
添えて呑んだらしばし静かに                    〔下〕        ２２
１０こ    五体とも何不自由なく生まれ来て                  〔上〕
今ある我が身の有難さかな                      〔下〕        ２１
１１さ    作物の育てる土壌天地の                          〔上〕
絶え間ぬ運行人の成す術                        〔下〕        ２９
１２し    しあわせの現す形無けれども                      〔上〕
心に不平不満なき日々                          〔下〕        ２７
１３す    須らく我思うゆえ世の中の                        〔上〕
思い通りにならぬ現実                          〔下〕        １８
１４せ    善徳が巡りめぐりて吹く風の                      〔上〕
思わぬ人にもぞ認められ                        〔下〕        ４２
１５そ    粗食にて適度な運動ストレッチ                    〔上〕
これぞ健康の橋頭堡                            〔下〕        ３０
１６た    高からずまた低からず硬すぎず                    〔上〕
柔らか過ぎず程良き枕                          〔下〕        ３９
１７ち    地球にと降りそそぎたる流れ星                    〔上〕
雑念去りてただ立ち眺む                        〔下〕        ３３
１８つ    常日頃心身一如で生活の                          〔上〕
バランスとればストレスぞ無く                  〔下〕          ８
１９て    出る杭の打たれし恐れありとても                  〔上〕
臆することなき心の強さ                        〔下〕        １１
２０と    遠き地の友偲ぶとき目をば閉じ                    〔上〕
以心伝心瞑想力で                              〔下〕        １９
２１な    長き世を味よく生きて渡るには                    〔上〕
笑顔が一番良き通行符                          〔下〕        ２８
２２に    人間の思意の総和が波となり                      〔上〕
うねりとなりて帰り来るとは                    〔下〕        ２６
２３ぬ    ぬばたまの闇にしあれば一条の                    〔上〕
光りの標有難きもの                            〔下〕        ２５
２４ね    熱が出て原因不明のとき先ずは                    〔上〕
大根卸しをおでこに付けき                      〔下〕          ７
２５の    野の花がひとつポツンと咲きたるを                〔上〕
侘びしと見るはさも人の性                      〔下〕          ６
２６は    肌つやは鏡と謂る内臓の                          〔上〕
状態示すビオバロメーター                      〔下〕        １６
２７ひ    独り身で一生過ごす人まさに                      〔上〕
修行のために生まれ来たそね                    〔下〕        ２４
２８ふ    ふと知った不思議なえにし星のもと                〔上〕
生かまほしくもあれぞ玉の緒                    〔下〕          ５
２９へ    弁慶の泣き所とは痛いもの                        〔上〕
どんな人にも弱点はあり                        〔下〕        ４０
３０ほ    方円の形に沿って満つるごと                      〔上〕
流れる水のこだわりなさや                      〔下〕        ３６
３１ま    正夢と後で気が付きうれしくも                    〔上〕
あわてて今朝の夢辿りみる                      〔下〕        ４１
３２み    耳が寝て大きな形した人は                        〔上〕
温厚にして長生きの相                          〔下〕          ３
３３む    村祭り歴史を秘めた里神楽                        〔上〕
笛や太鼓に神々の舞                            〔下〕          ２
３４め    目覚め際イメージ強く思うこと                    〔上〕
今日の運勢良かれあれかし                      〔下〕        １２
３５も    物事に気がつくことは天啓か                      〔上〕
より良きほうに向かせて助け                    〔下〕          ９
３６や    やみくもに心配し過ぎ気疲れは                    〔上〕
自ずからして肝が萎縮す                        〔下〕        １３
３７ゆ    ゆく川の流れながれて日めくりの                  〔上〕
便りの無きはほぼ良き知らせ                    〔下〕        １４
３８よ    世の中に不思議と言えるものあるぞ                〔上〕
シンクロニシティにメビウスの輪                  〔下〕        ４４
３９ら    楽々と匠の業をこなしたり                        〔上〕
料理で大事かの勘どころ                        〔下〕        ４３
４０り    良薬は口に苦しと謂うけれど                      〔上〕
時代に霞む昔の伝え                            〔下〕          ４
４１る    涙腺は悲しいときに出るけれど                    〔上〕
大事な角膜保護する役目                        〔下〕        ３４
４２れ    蓮華こそ泥より出でて穢れ無き                    〔上〕
平和の象徴美のユートピア                      〔下〕          １
４３ろ    論理好き理論理屈が先行し                        〔上〕
感性引っ込む頭でっかち                        〔下〕        １７
４４わ    和の心守りて来たる昔から                        〔上〕
禾本科主食の平和の民                          〔下〕        ３２
【形態の簡単な説明】
【０００８】  数字は「あ」から「わ」迄の順番を示す
〔上〕は上の句〔下〕は下の句の略
発音の仕方    ５の音音はオトオト
１１の天地はアメツチ、術はスベ
２３の標はシルベ
２５の性はサガ  と読む
【図１】
2016140737.tif 000003